(57)【要約】      （修正有）【課題】デジタル映像データを回転スイッチを用いて、必要データを再生制御するデジタル映像再生装置を提供する。【解決手段】映像再生装置１００ａ前面に設置され、複数のクリック点を有する回転式スイッチ１０３と、所定の再生順序に関連づけられる複数の映像ファイルを記憶するためのメモリと、前記複数の映像ファイルのうちの１つを選択し、当該選択した再生対象の映像ファイルを先頭から再生してディスプレイ１０１に表示する制御部とを設ける。前記制御部は、前記回転式スイッチが一方向隣のクリック点に回転されたことを検知した場合は再生中の映像ファイルの１つ後の再生順序を持つ映像ファイルを、前記回転式スイッチが他方向隣のクリック点に回転されたことを検知した場合は再生中の映像ファイルの１つ前の再生順序を持つ映像ファイルを、新たに再生対象の映像ファイルとして選択し、当該選択した再生対象の映像ファイルを先頭から再生して前記ディスプレイに表示する。【選択図】図１
0003149954.tif 000002
【実用新案登録請求の範囲】
【請求項１】
前面にディスプレイを備える映像再生装置であって、
前記前面に設置され、その回転において複数のクリック点を有する回転式スイッチと、
所定の再生順序に関連づけられる複数の映像ファイルを記憶するためのメモリと、
前記複数の映像ファイルのうちの１つを再生対象の映像ファイルとして選択し、当該選択した再生対象の映像ファイルを先頭から再生して前記ディスプレイに表示する制御部と、
を備え、
前記制御部は、前記回転式スイッチが一方向隣のクリック点に回転されたことを検知した場合は再生中の映像ファイルの１つ後の再生順序を持つ映像ファイルを、前記回転式スイッチが他方向隣のクリック点に回転されたことを検知した場合は再生中の映像ファイルの１つ前の再生順序を持つ映像ファイルを、新たに再生対象の映像ファイルとして選択し、当該選択した再生対象の映像ファイルを先頭から再生して前記ディスプレイに表示する
ことを特徴とする映像再生装置。
【請求項２】
着脱可能なメモリカードを挿入するためのメモリスロットを更に備え、
前記制御部は、前記メモリスロットにメモリカードが挿入されている場合、前記再生対象の映像ファイルの選択を、前記メモリではなく前記メモリカードに記憶されている複数の映像ファイルから行う
ことを特徴とする請求項１に記載の映像再生装置。
【請求項３】
回転式つまみと、
前記回転式つまみの回転角度に応じて前記映像再生装置の電源のＯＮとＯＦＦとを切り替えるスイッチと、
前記回転式つまみの回転角度に応じて抵抗値が変化する可変抵抗と、
前記可変抵抗の抵抗値に応じて音量が変化するスピーカと、
を更に備え、
前記制御部は、映像ファイルの再生により得られた音声信号を前記スピーカに出力する
ことを特徴とする請求項１又は２に記載の映像再生装置。
【請求項４】
前記制御部は、
再生中の映像ファイルを末尾まで再生すると、当該再生中の映像ファイルの１つ後の再生順序を持つ映像ファイルを、新たに再生対象の映像ファイルとして選択し、当該選択した再生対象の映像ファイルを先頭から再生して前記ディスプレイに表示し、
前記回転式スイッチの回転が検知されずに前記複数の映像ファイル全ての再生が完了した場合、前記映像再生装置の電源をＯＦＦにする
ことを特徴とする請求項１乃至３のいずれか１項に記載の映像再生装置。
【請求項５】
前面にディスプレイを備える映像再生装置であって、
前記前面に設置された回転式スイッチと、
所定の再生順序に関連づけられる複数の映像ファイルを記憶するためのメモリと、
前記複数の映像ファイルのうちの１つを再生対象の映像ファイルとして選択し、当該選択した再生対象の映像ファイルを先頭から再生して前記ディスプレイに表示する制御部と、
を備え、
前記制御部は、前記回転式スイッチが一方に回転されたことを検知した場合は再生中の映像ファイルより後の再生順序を持つ映像ファイルを、前記回転式スイッチが他方に回転されたことを検知した場合は再生中の映像ファイルの前の再生順序を持つ映像ファイルを、新たに再生対象の映像ファイルとして選択し、当該選択した再生対象の映像ファイルを先頭から再生して前記ディスプレイに表示する
ことを特徴とする映像再生装置。
【請求項６】
前面にディスプレイを備える映像再生装置であって、
前記前面に設置され、その回転において複数のクリック点を有する回転式スイッチと、
所定の再生順序に関連づけられる複数の映像ファイルを記憶するためのメモリと、
前記複数の映像ファイルのうちの１つを再生対象の映像ファイルとして選択し、当該選択した再生対象の映像ファイルを先頭から再生して前記ディスプレイに表示する制御部と、
を備え、
前記制御部は、前記回転式スイッチが一方にクリック点ｎ個分（ただし、ｎ＞１）回転されたことを検知した場合は再生中の映像ファイルのｎ個後の再生順序を持つ映像ファイルを、前記回転式スイッチが他方にクリック点ｍ個分（ただし、ｍ＞１）回転されたことを検知した場合は再生中の映像ファイルのｍ個前の再生順序を持つ映像ファイルを、新たに再生対象の映像ファイルとして選択し、当該選択した再生対象の映像ファイルを先頭から再生して前記ディスプレイに表示する
ことを特徴とする映像再生装置。
【考案の詳細な説明】
【技術分野】
【０００１】
本考案は、映像再生装置に関する。
【背景技術】
【０００２】
現在、デジタル映像データを再生して映像を表示する映像再生装置が広く普及している。このような映像再生装置は一般的に、複数の映像ファイルを格納している内蔵の又は着脱可能な記録媒体から映像ファイルを取得し、映像ファイル内のデジタル映像データを再生する。以下の説明においては、映像ファイル内のデジタル映像データを再生することを、単に「映像ファイルを再生する」と表現する。
【０００３】
現在普及している映像再生装置の多くは、所定の再生順序に従い、複数の映像ファイルを順に再生することができる。そのような映像再生装置は一般的に、操作部として「次へ」ボタンと「前へ」ボタンを備え、ある映像ファイルを再生中に「次へ」ボタンが操作されると、再生順序が１つ後の映像ファイルの先頭から再生を開始し、「前へ」ボタンが操作されると、現在再生中の映像ファイルの先頭から再生をやり直す。特許文献１は、このような操作部に類似したオーディオキーを持ち、音楽を再生可能な、折り畳み式携帯電話機を提案している。
【先行技術文献】
【特許文献】
【０００４】
【特許文献１】特開２００２−１１１８１６号公報
【考案の概要】
【考案が解決しようとする課題】
【０００５】
今日、ユーザの嗜好は多様化する傾向にあり、一般的な構成とは一線を画した操作部に対するニーズも存在する。また、操作部の利便性が高ければ高いほどユーザの満足度も高いという訳では必ずしもない。例えば、「懐かしさ」を感じられることが、ユーザの満足度の向上に貢献する場合もある。
本考案はこのような状況に鑑みてなされたものであり、ユーザが、デジタル映像データを格納した映像ファイルの再生制御のために従来とは異なる操作を実行可能な映像再生装置を提供することを目的とする。
【課題を解決するための手段】
【０００６】
上記課題を解決するために、本考案は、前面にディスプレイを備える映像再生装置であって、前記前面に設置され、その回転において複数のクリック点を有する回転式スイッチと、所定の再生順序に関連づけられる複数の映像ファイルを記憶するためのメモリと、前記複数の映像ファイルのうちの１つを再生対象の映像ファイルとして選択し、当該選択した再生対象の映像ファイルを先頭から再生して前記ディスプレイに表示する制御部と、を備え、前記制御部は、前記回転式スイッチが一方向隣のクリック点に回転されたことを検知した場合は再生中の映像ファイルの１つ後の再生順序を持つ映像ファイルを、前記回転式スイッチが他方向隣のクリック点に回転されたことを検知した場合は再生中の映像ファイルの１つ前の再生順序を持つ映像ファイルを、新たに再生対象の映像ファイルとして選択し、当該選択した再生対象の映像ファイルを先頭から再生して前記ディスプレイに表示することを特徴とする映像再生装置を提供する。
なお、その他の本考案の特徴は、添付図面及び以下の考案を実施するための形態における記載によって更に明らかになるものである。
【考案の効果】
【０００７】
以上の構成により、本考案の映像再生装置によれば、ユーザは、デジタル映像データを格納した映像ファイルの再生制御のために従来とは異なる操作を実行可能であり、例えば「懐かしさ」を感じることができる。
【図面の簡単な説明】
【０００８】
【図１】本考案に係る映像再生装置１００の正面図である。
【図２】映像再生装置１００の右側面図である。
【図３】映像再生装置１００の内部構成を示すブロック図である。
【図４】本考案に係る映像再生処理の流れを示すフローチャートである。
【図５】図４のステップＳ４１３に続く処理の流れを示すフローチャートである。
【図６】図４及び図５を参照して説明した映像再生処理における、割り込み処理の流れを示すフローチャートである。
【考案を実施するための形態】
【０００９】
以下、図面を参照して、本考案の実施例を説明する。
【実施例１】
【００１０】
図１は、本考案に係る映像再生装置１００の正面図である。映像再生装置１００はその正面（前面）に、ディスプレイ１０１と、電源スイッチ兼ボリュームつまみ１０２と、チャンネル用回転式スイッチ１０３とを備える。
【００１１】
ディスプレイ１０１は、例えばバックライトを持つ液晶パネルにより構成され、ここに映像が表示される。
【００１２】
電源スイッチ兼ボリュームつまみ１０２は、回転式つまみ、スイッチ、及び可変抵抗を含む。電源スイッチ兼ボリュームつまみ１０２の回転式つまみが所定の角度右に回転すると、スイッチがＯＮになって映像再生装置１００に電源が投入される。電源スイッチ兼ボリュームつまみ１０２の回転式つまみが更に右に回転すると、回転角度が大きくなるほど可変抵抗の抵抗値が小さくなり、後述するスピーカの音量が大きくなる。以下、スイッチ兼ボリュームつまみ１０２の回転式つまみを回転させることを、単に「スイッチ兼ボリュームつまみ１０２を回転させる」と表現する。
【００１３】
チャンネル用回転式スイッチ１０３は、エンコーダを含み、ユーザはこれを回転させることにより再生対象の映像ファイルを切り替えることができる。即ち、チャンネル用回転式スイッチ１０３であるところのエンコーダは、その回転において複数のクリック点を有し、現在のクリック点から右方向、左方向それぞれに存在する、異なるクリック点への回転操作によって、再生対象の映像ファイルを切り替えることができる（詳細は後述）。
【００１４】
ここで、電源スイッチ兼ボリュームつまみ１０２及びチャンネル用回転式スイッチ１０３は、初期のアナログテレビと同様の外観及び操作性を有するものである。例えば、再生対象の映像ファイルを切り替える際には、上述のように、チャンネル用回転式スイッチ１０３に対して、現在のクリック点から右方向、左方向それぞれに存在する、異なるクリック点への回転操作を加えることになるので、あたかも初期のアナログテレビにおいてチャンネルを切り替えているかのような操作感を感得できる。
【００１５】
図２は、映像再生装置１００の右側面図である。図２において、図１に示した構成要素と同一の構成要素には同一の符号を付し、説明を省略する。
【００１６】
映像再生装置１００はその右側面に、メモリスロット１０４を備える。メモリスロット１０４は、例えばＳＤ（登録商標）メモリカードなどの着脱可能メモリのためのメモリカードリーダを含む。ユーザは、メモリスロット１０４が対応するメモリカードをここに挿入することができる。
【００１７】
図３は、映像再生装置１００の内部構成を示すブロック図である。図３において、図１又は図２に示した構成要素と同一の構成要素には同一の符号を付し、説明を省略する。
【００１８】
図３において、ＣＰＵ３０１は、映像再生装置１００の全体を制御するプロセッサである。ＣＰＵ３０１は、映像再生装置１００の制御プログラムを格納したＲＯＭや、ＣＰＵ３０１が制御プログラムを実行する際にワークメモリとして使用されるＲＡＭなどを含む。ＣＰＵ３０１は、制御プログラムを実行することにより、例えばＭＰＥＧ４形式の映像データを格納した映像ファイルを再生することができる。ＣＰＵ３０１はこれ以外にも、例えばＪＰＥＧ形式の画像ファイルなども再生することができる。
【００１９】
電源ユニット３０２は、映像再生装置１００の各ブロックに電力を供給する。本実施例では、例えば映像再生装置１００に接続されたＡＣアダプタから電源ユニット３０２に電力が供給される。或いは、映像再生装置１００が電池ボックスを備え、ここに設置された乾電池から電源ユニット３０２に電力が供給されてもよい。
【００２０】
フラッシュメモリ３０３は、映像再生装置１００が再生可能な映像ファイルを格納するための、内蔵の不揮発性メモリである。フラッシュメモリ３０３には、映像再生装置１００の工場出荷前に、複数の映像ファイルが格納される。もちろん、ユーザが後から映像ファイルを追加したり削除したりできるように映像再生装置１００を構成してもよい。フラッシュメモリ３０３はまた、映像再生装置１００の起動時やシャットダウン時に再生するための様々な映像ファイルや静止画像ファイル（例えば、ＪＰＥＧファイル）などを格納することができる。
【００２１】
オーディオアンプ３０４は、ＣＰＵ３０１が映像ファイルを再生することによって得られたアナログ音声信号を増幅してスピーカ３０５に出力する。これにより、スピーカ３０５からは、ユーザ可聴の音声が出力される。なお、図１及び図２には示さなかったが、スピーカ３０５は、映像再生装置１００の適切な位置（例えば、正面）に設置される。
【００２２】
コントラスト調節つまみ３０６は、ディスプレイ１０１に表示される映像のコントラストを調節するためのつまみである。スイッチ群３０７は、映像再生装置１００が再生中の映像を早送りさせたり、巻き戻しさせたり、一時停止させたりすることをＣＰＵ３０１に指示するためのスイッチや、ＣＰＵ３０１に対して映像再生装置１００のリセットを指示するためのスイッチなどを含む。なお、図１及び図２には示さなかったが、コントラスト調節つまみ３０６及びスイッチ群３０７は、映像再生装置１００の適切な位置（例えば、背面）に設置される。
【００２３】
図４は、本考案に係る映像再生処理の流れを示すフローチャートである。図４に示す各ステップの処理は、特に断らない限り、映像再生装置１００のＣＰＵ３０１が制御プログラムを実行することによって実現される（図５及び図６においても同様）。電源スイッチ兼ボリュームつまみ１０２が回転されて映像再生装置１００に電源が投入されると、本フローチャートの処理が開始する。
【００２４】
ステップＳ４０１で、ＣＰＵ３０１は、起動画面をディスプレイ１０１に表示する。起動画面は、フラッシュメモリ３０３に格納されている映像ファイルや静止画像ファイルを再生することにより取得される。
【００２５】
ステップＳ４０２で、ＣＰＵ３０１は、映像ファイルの読み出し元としてフラッシュメモリ３０３を使用するか、メモリスロット１０４に挿入されたメモリカードを使用するかを決定する。本実施例では、メモリスロット１０４にメモリカードが挿入されている場合はメモリカードを使用し、そうでない場合はフラッシュメモリ３０３を使用するものとする。以下、決定されたメモリを「使用メモリ」と呼ぶ。
【００２６】
ステップＳ４０３で、ＣＰＵ３０１は、使用メモリから映像ファイルのリスト（再生リスト）を取得する。再生リストは、例えば、使用メモリのファイルシステムを参照することにより、取得可能である。或いは、再生リスト自体がファイルとして使用メモリ内に格納されていてもよい。また、再生リストは、映像ファイルの再生順序に関する情報を含む。
【００２７】
ステップＳ４０４で、ＣＰＵ３０１は、ステップＳ４０３で取得した再生リストの中から再生対象の映像ファイルを選択する。また、再生リストにおいて選択した映像ファイルを示すフラグをセットする。
【００２８】
ステップＳ４０５で、ＣＰＵ３０１は、再生対象の映像ファイルの先頭を再生開始点として設定する。ステップＳ４０６で、ＣＰＵ３０１は、再生対象ファイルの再生開始点から再生を開始する。
【００２９】
ステップＳ４０７で、ＣＰＵ３０１は、チャンネル用回転式スイッチ１０３が現在のクリック点から右隣にのクリック点へと回転されたか否かを判定する。判定結果が「ＮＯ」であればステップＳ４０８に進む。ステップＳ４０８で、ＣＰＵ３０１は、チャンネル用回転式スイッチ１０３が現在のクリック点から左隣にのクリック点へと回転されたか否かを判定する。判定結果が「ＮＯ」であればステップＳ４０９に進む。ステップＳ４０９で、ＣＰＵ３０１は、再生位置が再生対象の映像ファイルの末尾に到達したか否かを判定する。判定結果が「ＮＯ」であればステップＳ４０７に戻り、映像ファイルの再生を継続しつつステップＳ４０７乃至Ｓ４０９の判定を繰り返す。
【００３０】
ステップＳ４０７において「ＹＥＳ」と判定された場合、ステップＳ４１０で、ＣＰＵ３０１は、再生リストにおいて再生順序が現在再生中の映像ファイルの１つ後である映像ファイルを再生対象として選択する。また、再生リストにおいて選択した映像ファイルを示すフラグをセットする（以前にセットされたフラグは消去される）。次いでステップＳ４０５に戻り、新たに選択された映像ファイルの先頭から再生が行われるように、同様の処理が繰り返される。
【００３１】
ステップＳ４０８において「ＹＥＳ」と判定された場合、ステップＳ４１１で、ＣＰＵ３０１は、再生リストにおいて再生順序が現在再生中の映像ファイルの１つ前である映像ファイルを再生対象として選択する。また、再生リストにおいて選択した映像ファイルを示すフラグをセットする（以前にセットされたフラグは消去される）。次いでステップＳ４０５に戻り、新たに選択された映像ファイルの先頭から再生が行われるように、同様の処理が繰り返される。
【００３２】
なお、本実施例では、チャンネル用回転式スイッチ１０３が現在のクリック点から右隣のクリック点へと回転された場合に１つ後の、左隣のクリック点へと回転された場合に１つの前の、映像ファイルがそれぞれ選択されるものとした。しかしながら、本考案は「右隣」と「１つ後」、及び「左隣」と「１つ前」の対応付けに限定されるものではない。即ち、チャンネル用回転式スイッチ１０３がいずれか一方向隣のクリック点に回転された場合に１つ後の、他方向隣（先の一方向と反対の方向隣）に回転された場合に１つ前の、映像ファイルがそれぞれ選択されればよい。これは後述する図５のステップＳ５０３及びＳ５０４においても同様である。
【００３３】
ステップＳ４０９において「ＹＥＳ」と判定された場合、ステップＳ４１２で、ＣＰＵ３０１は、再生リストにおいて再生順序が現在再生中の映像ファイルの１つ後である映像ファイルを再生対象として選択する。次いでステップＳ４１３で、ＣＰＵ３０１は、ステップＳ４１２で選択した映像ファイルについて、再生リスト中にフラグがセットされているか否かを判定する。判定結果が「ＮＯ」であればステップＳ４０５に戻り、新たに選択された映像ファイルの先頭から再生が行われるように、同様の処理が繰り返される。判定結果が「ＹＥＳ」であれば図５のステップＳ５０１へ進む。
【００３４】
ここで注目すべきことは、ステップＳ４１２を経由してステップＳ４０５に戻った場合は、ステップＳ４１０を経由した場合と異なり、フラグの再セットが行われないことである。そして、ステップＳ４１３において「ＹＥＳ」と判定されたということは、チャンネル用回転式スイッチ１０３が一度も操作されずに、再生リスト中の全ての映像ファイルが再生された（即ち、再生が一巡した）ということである。
【００３５】
また、図示しないが、スイッチ群３０７が操作された場合、ＣＰＵ３０１は、操作されたスイッチの種類に応じた処理を行う。例えば、早送りスイッチが操作された場合、ＣＰＵ３０１は、再生対象の映像ファイルの再生位置を通常よりも高速に進める。
【００３６】
以上の説明、特にステップＳ４０５乃至Ｓ４１１の説明から理解できるように、ユーザは、昔のアナログテレビでチャンネルを変更する操作に似た感覚でチャンネル用回転式スイッチ１０３を左右に回転させることにより、再生対象の映像ファイルを１つ前に戻したり１つ後に進めたりすることができる。従って、ユーザは、映像ファイルの再生制御（これは近年の技術に基づくものである）を通じて、昔懐かしい感覚を味わうことができる。
【００３７】
図５は、図４のステップＳ４１３に続く処理の流れを示すフローチャートである。
【００３８】
ステップＳ５０１で、ＣＰＵ３０１は、待機画面をディスプレイ１０１に表示する。待機画面は、フラッシュメモリ３０３に格納されている映像ファイルや静止画像ファイルを再生することにより取得される。次いでステップＳ５０２で、ＣＰＵ３０１は、タイマーをスタートさせる。
【００３９】
ステップＳ５０３で、ＣＰＵ３０１は、チャンネル用回転式スイッチ１０３が現在のクリック点から右隣のクリック点へと回転されたか否かを判定する。判定結果が「ＮＯ」であればステップＳ５０４に進む。ステップＳ５０４で、ＣＰＵ３０１は、チャンネル用回転式スイッチ１０３が現在のクリック点から左隣のクリック点へと回転されたか否かを判定する。判定結果が「ＮＯ」であればステップＳ５０５に進む。ステップＳ５０５で、ＣＰＵ３０１は、ステップＳ５０２においてスタートしたタイマーがタイムアップしたか否か（即ち、所定の時間が経過したか否か）を判定する。判定結果が「ＮＯ」であれば、ステップＳ５０３に戻り、ステップＳ５０３乃至Ｓ５０５の判定を繰り返す。判定結果が「ＹＥＳ」であればステップＳ５０６に進む。
【００４０】
ここで注目すべきことは、ステップＳ５０５において「ＹＥＳ」と判定されたということは、チャンネル用回転式スイッチ１０３が操作されることなく所定の時間（例えば、６０秒）が経過したということである。この場合、ステップＳ５０６でＣＰＵ３０１はディスプレイ１０１に終了画面を表示した後、ステップＳ５０７で電源をＯＦＦにして処理を終了する。これにより、電力の浪費を抑制することができる。
【００４１】
一方、ステップＳ５０３において「ＹＥＳ」と判定された場合、図４のステップＳ４０５に進む。これにより、ステップＳ４１２で選択された映像ファイルの先頭から再生が行われる。即ち、再生リストにおける二巡目の再生が開始する。
【００４２】
また、ステップＳ５０４において「ＹＥＳ」と判定された場合、図４のステップＳ４１１に進む。これにより、最後の再生された映像ファイル（ステップＳ４１２で選択された映像ファイルの１つ前のファイル）の先頭から再生が行われる。
【００４３】
図６は、図４及び図５を参照して説明した映像再生処理における、割り込み処理の流れを示すフローチャートである。図６（ａ）は、メモリスロット１０４にメモリカードが新たに挿入された場合の処理を示し、図６（ｂ）は、メモリスロット１０４に挿入されているメモリカードが抜き取られた場合の処理を示す。
【００４４】
メモリスロット１０４にメモリカードが新たに挿入された場合、ステップＳ６０１で、ＣＰＵ３０１は、再生リストにおけるフラグの位置、再生中の映像ファイルを特定する情報、及び再生中の映像ファイルの再生位置を記憶する。
【００４５】
ステップＳ６０２で、ＣＰＵ３０１は、メモリスロット１０４に挿入されたメモリカードを使用メモリとして決定する。次いで処理は、図４のステップＳ４０３に進む。
【００４６】
これにより、フラッシュメモリ３０３に格納された映像ファイルに関する現在の再生状況を記憶しつつ、メモリスロット１０４に挿入されたメモリカードに格納された映像ファイルの再生を開始することができる。
【００４７】
一方、メモリスロット１０４に挿入されているメモリカードが抜き取られた場合、ステップＳ６１１で、ＣＰＵ３０１は、フラッシュメモリ３０３を使用メモリとして決定する。次いでステップＳ６１２で、ＣＰＵ３０１は、ステップＳ６０１で記憶した情報（即ち、フラッシュメモリ３０３についての、フラグの位置、映像ファイルを特定する情報、及び再生位置）を読み出す。次いで処理は、図４のステップＳ４０６に進む。
【００４８】
これにより、メモリスロット１０４へのメモリカードを挿入する前の状態に戻って、フラッシュメモリ３０３に格納された映像ファイルの再生を再開することができる。
【００４９】
なお、以上の実施例においては、チャンネル用回転式スイッチ１０３が現在のクリック点から右隣のクリック点へ回転されたときには、再生リスト上、１つ後の映像ファイルを再生するようにしているので、もし一時に右方向に２個離れたクリック点へと回転させたとしても、装置内の処理としては、「右隣のクリック点への回転」が２回連続で入力されたものとして処理する。すなわち、一旦は１つ後の映像ファイルの再生処理を開始するが、直ちに、更に１つ後の映像ファイル（つまり、元々再生されていた映像ファイルの２つ後の映像ファイル）の再生処理に移行するようになっている。つまり、一時に右方向へｎ個以上離れたクリック点へと回転させた場合は、「右隣のクリック点への回転」がｎ回連続で入力されたものとして処理され、１つ後、２つ後、３つ後、・・・ｎ−１個後の映像ファイルについて各々再生処理（ステップＳ４１０→ステップＳ４０５→ステップ４０６）を行い、最終的にｎ個後の映像ファイルの再生処理を行うようになっている。これは一時に左方向へｍ個以上離れたクリック点へと移動した場合も同様であり、その場合は、「左隣のクリック点への回転が、ｍ回連続で入力されたものとして処理され、１つ前、２つ前、３つ前、・・・ｍ−１個前の映像ファイルについて各々再生処理（ステップＳ４１１→ステップＳ４０５→ステップＳ４０６→ステップＳ４０７（判定結果は「ＮＯ」））を行い、最終的にｍ個前の映像ファイルの再生処理を行うようになっている。
【００５０】
しかしながら、このような処理をせず、映像ファイルの再生前に、現在のクリック点から右方向にｎ個目のクリック点に移動したことを検知し（ただし、ｎ＞１）、１つ後〜ｎ−１個後の映像ファイルの再生処理は行わず、直ちにｎ個後の映像ファイルの再生処理を行うようにしてもよい。その場合、ステップＳ４０７の処理を、ＣＰＵ３０１が、チャンネル用回転式スイッチ１０３が現在のクリック点から右にｎ個目（ただし、ｎ＞１）のクリック点へと回転されたか否かを判定するように変更し、判定結果が「ＹＥＳ」のときに進むステップＳ４１０の処理を、ＣＰＵ３０１が、再生リストにおいて再生順序が現在再生中の映像ファイルのｎ個後である映像ファイルを再生対象として選択するように、変更すればよい。
【００５１】
同様に、映像ファイルの再生前に、現在のクリック点から左方向にｍ個目のクリック点に移動したことを検知し（ただし、ｍ＞１）、１つ前〜ｍ−１個前の映像ファイルの生成処理は行わず、直ちにｍ個前の映像ファイルの再生処理を行うようにするのであれば、ステップＳ４０８の処理を、ＣＰＵ３０１が、チャンネル用回転式スイッチ１０３が現在のクリック点から左にｍ個目（ただし、ｍ＞１）のクリック点へと回転されたか否かを判定するように変更し、判定結果が「ＹＥＳ」のときに進むステップＳ４１１の処理を、ＣＰＵ３０１が、再生リストにおいて再生順序が現在再生中の映像ファイルのｍ個後である映像ファイルを再生対象として選択するように、変更すればよい。
【００５２】
以上説明したように、本実施例によれば、映像再生装置１００は、初期のアナログテレビと同様の外観及び操作性を有する電源スイッチ兼ボリュームつまみ１０２及びチャンネル用回転式スイッチ１０３を備える。その一方で、映像再生装置１００は、デジタル映像データを格納した映像ファイルを近年の技術に基づいて再生可能なＣＰＵ３０１を備える。そしてユーザは、昔のアナログテレビでチャンネルを変更する操作に似た感覚でチャンネル用回転式スイッチ１０３を左右に現在のクリック点から別のクリック点へと回転させることにより、再生対象の映像ファイルを再生リスト上前のものに戻したり後のものに進めたりすることができる。また、昔のアナログテレビで電源をＯＮにしたり音量を調節したりする操作に似た感覚で電源スイッチ兼ボリュームつまみ１０２を回転させることにより、映像再生装置１００の電源をＯＮにしたりスピーカ３０５の音量を変更したりすることができる。
【００５３】
従って、本実施例の映像再生装置１００によれば、ユーザは、デジタル映像データを格納した映像ファイルの再生制御のために従来とは異なる操作を実行可能であり、例えば「懐かしさ」を感じることができる。
【符号の説明】
【００５４】
１００  映像再生装置
１０１  ディスプレイ
１０２  電源スイッチ兼ボリュームつまみ
１０３  チャンネル用回転式スイッチ
１０４  メモリスロット
【図１】
0003149954.tif 000003
【図２】
0003149954.tif 000004
【図３】
0003149954.tif 000005
【図４】
0003149954.tif 000006
【図５】
0003149954.tif 000007
【図６】
0003149954.tif 000008